(57)【要約】      （修正有）【課題】ゴルフ場での池の底面のゴルフボールを容易に回収するゴルフボール回収具を提供する。【解決手段】フレーム２と支持体３から成り、フレーム２は、ゴルフボールを収容する収容体であり、底部にはゴルフボールが通過できる開口部と、支持体３を回動させるための稼動部と、ゴルフボールと接触する当接部７と、支持体３と当接する保持部６が設けられ、支持体３は、傾斜状態の場合ではゴルフボールを通過させないが、略水平位置では通過させる開口部を有し、稼動部により回動自在に軸支され、他端がゴルフボールを支持するように構成した。【選択図】図１
2016029992.tif 000002
【特許請求の範囲】
【請求項１】
長尺体の先端に、紐または棒を介して取り付けて使用するゴルフボール回収具であって、
フレームと支持体から成り、
前記フレームは、ゴルフボールを収容する収容体であり、底部にはゴルフボールが通過できる大きさの開口部と、該開口部の面方向から垂直な上部位置に前記支持体を回動させるための稼動部と、該稼動部の下部位置にゴルフボールと接触する当接部と、前記支持体の回動動作を係止する保持部が設けられ、
前記支持体は、前記フレームの開口部に対して傾斜状態の場合ではゴルフボールを通過させないが、略水平位置ではゴルフボールを通過させる開口部を有し、一端が前記稼動部により回動自在に軸支され、他端が前記ゴルフボールの一部を支持する支持部となり、
前記支持体が前記フレーム内で上下に自由回動し、ゴルフボールの下側に入り込み、前記フレームの前記保持部に前記支持体が接触し、ゴルフボールの自重によって前記支持部と前記当接部によりゴルフボールを挟持し、上方への安定した回収を可能としたことを特徴とするゴルフボール回収具。
【請求項２】
前記支持体がリング状であって、前記保持部で保持された際の支持部と当接部との水平方向の支持体の開口部の径が、ゴルフボールの半径よりも大きく、直径よりも小さいことを特徴とする請求項１に記載のゴルフボール回収具。
【請求項３】
前記フレームは、平面部を下部とする略半球状であることを特徴とする請求項１又は請求項２に記載のゴルフボール回収具。
【請求項４】
前記フレームが、線材で構成されていることを特徴とする請求項１から請求項３のいずれかに記載のゴルフボール回収具。 
【発明の詳細な説明】
【技術分野】
【０００１】
本発明は、ゴルフ場の池に没したゴルフボールを回収する技術に関し、詳しくは、ゴルフボール回収具を長尺体から紐または棒等でつるし、ゴルフボールを押し込むような外圧や、転がるような力をかけることなく、容易に水没等したゴルフボールを回収することを可能とするゴルフボール回収具の技術に関するものである。
【背景技術】
【０００２】
ゴルフにおいて、ゴルフ場の池に没したゴルフボールを回収しなければならない場合がある。ゴルフボールを回収する方法として、手近なものとして、ゴルフクラブを用いる方法があるが、池の中のボールは転がりやすく容易に回収できない。網で回収することが一般的であるが、池の底面がでこぼこしていると、ゴルフボールがなかなか網の中に入らないし、網ですくう際ゴルフボールが転がりうまく回収できない場合も多い。
ゴルフボールは決して安価なものではないため、回収する必要性も高い。そのため、水中のゴルフボールに対して、ゴルフボールが転がるような力をかけることなく、容易に回収する技術が求められている。
【０００３】
そこで、これらの問題を解決しようと、従来からも種々の技術が提案されてきた。例えば、安価に製造可能であるシンプルな形状の剛体で耐久性に優れ、より一層使い易く、コンパクトに収納や持参することができ、しかも池等の中に落ちたゴルフボールも拾うことができるゴルフボール拾い具（特許文献１）が提案され、公知技術となっている。
より詳しくは、剛性材からなる短円筒形の口枠であって、その内径がゴルフボールの弾性によって、該ゴルフボールが填り保持されるべく該ゴルフボールの外径より僅かに小さくされた口枠と、当該口枠に一体的に連結された支持部材と、前記口枠と前記支持部材とからなる保持部に連結部と、当該連結部に回動自在にして取り付けられ、ゴルフクラブのグリップの先端の小孔に挿入される所定の長さの支持軸ピンと、を設ける構造である。
しかしながら、特許文献１の構造では、池の底面のゴルフボールに対して、ある程度の力を加える必要があり、池の底が柔らかい泥であるとさらに泥の中に埋まってしまう恐れがあり、また、その際、ゴルフボールが予期せぬ方向に動いてしまって、上手く回収できないことも多い。そのため、この構造では、前記問題の解決には至っていない。
【０００４】
また、ゴルフクラブの先に装着するゴルフボール拾い器（特許文献２）が提案され、公知技術となっている。より詳しくは、棒状であり、一方がゴルフクラブのシャフトをつかむ構想であり、他方は、円形で中央がくり貫かれ、くり貫かれた穴の大きさはゴルフボールよりも小さく、池の底面のゴルフボールを穴に入れて回収するものである。
しかしながら、特許文献２の構造では、池の底面のゴルフボールの下に円形部を入れなければならないので、ある程度の力を加える必要があり、その際、ゴルフボールが予期せぬ方向に動きうまく回収できないことも多い。そのため、この構造では、前記問題の解決には至っていない。
【０００５】
また、腰痛や膝痛などがあっても、容易にホールインしたボールを拾い上げ、次のスタート位置まで運びセットできるグランドゴルフ用補助具（特許文献３）が提案され、公知技術となっている。より詳しくは、芯状の先端に押し出し板、後端に押し出し棒を設け、これらを覆うように継ぎ管が設けられる。継ぎ管の先端にはグローブ部材を、後端にはグリップが設けられ、グローブ部材にはボール固定突起部とゴムリングが備えられる構造である。
しかしながら、特許文献３の構造は、ホールインしたボールが対象であることから、池の底面のゴルフボールのように不安定で動きやすいゴルフボールについては考慮されていない。そのため、この構造では、前記問題の解決には至っていない。
【０００６】
本発明者はそれらの問題を解決しようと、ゴルフボール回収具において、ゴルフボールに対して、ゴルフボールが転がるような力をかけることなく、容易に回収することに着目し、「ゴルフボール回収具」の提案に至るものである。
【先行技術文献】
【特許文献】
【０００７】
【特許文献１】特開２００７−６８９３４
【特許文献２】実開平７−４０３
【特許文献３】実案登録３１６９１８１号
【発明の概要】
【発明が解決しようとする課題】
【０００８】
本発明は上記問題点に鑑み、ゴルフボール回収具の提供を図る。
【課題を解決するための手段】
【０００９】
本発明に係るゴルフボール回収具は、長尺体の先端に、紐または棒を介して取り付けて使用するゴルフボール回収具であって、フレームと支持体から成り、前記フレームは、ゴルフボールを収容する収容体であり、底部にはゴルフボールが通過できる大きさの開口部と、該開口部の面方向から垂直な上部位置に前記支持体を回動させるための稼動部と、該稼動部の下部位置にゴルフボールと接触する当接部と、前記支持体と当接する保持部が設けられ、前記支持体は、前記フレームの開口部に対して傾斜状態ではゴルフボールを通過させないが、略水平位置ではゴルフボールを通過させる開口部を有し、一端が前記稼動部により回動自在に軸支され、他端が前記ゴルフボールの一部を支持する支持部となり、前記支持体が前記フレーム内で上下に回動することで、前記支持部と前記当接部によりゴルフボールを挟持して上方へ回収可能としたことを特徴とするゴルフボール回収具。
【００１０】
また、本発明は、前記支持体が、リング状であって、前記保持部で保持された際の支持部と当接部との水平方向の支持体の開口部の径が距離は、ゴルフボールの半径よりも大きく、直径よりも小さいことを手段とする。
【００１１】
また、本発明は、前記支持体は、リング状であることを手段とする。
【００１２】
また、本発明は、前記フレームは、平面部を下部とする略半球状であることを手段とする。
【００１３】
また、本発明は、前記フレームは、線材で構成されていることを手段とする。
【発明の効果】
【００１４】
本発明に係るゴルフボール回収具によれば、池に落ちたゴルフボールを回収する際、ゴルフボールが転がるような力をかけることなく、容易に回収可能にするものである。
【図面の簡単な説明】
【００１５】
【図１】本発明に係るゴルフボール回収具の斜視図、三面図である。
【図２】本発明に係るゴルフボール回収具の斜視図、三面図である。
【図３】本発明に係るゴルフボール回収具の実施例の図である。
【図４】本発明に係るゴルフボール回収具の実施の説明の図である。
【図５】本発明に係るゴルフボール回収具の他の実施例の図である。
【図６】本発明に係るゴルフボール回収状態の説明写真である。
【発明を実施するための形態】
【００１６】
本発明であるゴルフボール回収具は、ゴルフボールに対して、ゴルフボールを押し込むような外圧や、転がるような力をかけることなく、容易に回収できることを最大の特徴とする。以下、実施例を図面に基づいて説明する。
なお、本実施例で示されるゴルフボール回収具の全体形状及び各部の形状は、下記に述べる実施例に限定されるものではなく、本発明の技術的思想の範囲内、即ち、同一の作用効果を発揮できる形状及び寸法の範囲内で変更することができるものである。
（実施例１）
【００１７】
図１から図２にしたがって、本発明の構造を説明する。
図１は、本発明の斜視図、三面図である。図１（ａ）は、本発明の斜視図を示し、図１（ｂ）は上面図を示し、図１（ｃ）は正面図を示し、図１（ｄ）は側面図を示す。図２は、本発明の変形例の斜視図、三面図である。図２（ａ）は、本発明の変形例の斜視図を示し、図２（ｂ）は上面図を示し、図２（ｃ）は正面図を示し、図２（ｄ）は側面図を示す。
ゴルフボール回収具１は、フレーム２と支持体３から構成される。フレーム２、支持体３の材質は、水に沈む必要があることから、鉄、銅、アルミ等の金属線材が好適である。耐久性を上げるために、金属を樹脂等で包みこんでも良い。また、全体として、水に沈むことができれば、樹脂等で構成しても良い。
【００１８】
フレーム２は、本発明の枠組みの構造である。前記の通り素材は金属でも樹脂でもよく、また線材で構成しても板状部材、若しくは射出成型する樹脂でもよく、本願発明の目的を達成できるものであればよい。図面は、線材を使用した場合での例示として構成したものであり、これに限定されるわけではない。また、フレーム２の大きさは、１個のゴルフボール９をフレーム２の中に収容できる程度である。形状は、底面を平面部とする略半球状である。フレーム２の底面は、ゴルフボールの外径よりも大きな環状であり、下からゴルフボール９が抵抗や引っ掛かり無くフレーム２内に収容可能な大きさである。フレーム２の側面は、３本または４本の垂直方向の線材で構成され、上部で線材は結束されている。この構成によって、ゴルフボール９は、側面方向からフレーム２の外に出ることは出来ない。フレーム２の上部には、ゴルフボール回収具１をつるすための穴８が設けてある。この穴８によってゴルフボール回収具１を紐または棒と接続し、紐または棒の他方の先に長尺体を取り付ける。使用者は、長尺体を持ち、ゴルフボール回収具１を池の中にいれ、ゴルフボール９を回収する。
【００１９】
フレーム２の上下方向の中段部分には、稼動部４が設けられている。稼動部４は、中空で両端から線材を挿入することで、線材を回転可能に軸支することなどが考え得る。フレーム２の線材の底面には、当接部７が設けられている。当接部７は、フレーム２内に収容されたゴルフボール９を引き上げる際、ゴルフボール９の一点が当接する箇所である。当接部７は、特別にゴルフボール９に当たる角度で面構造としてもいいし、単に底面部の一点であっても良い。保持部６は、支持体３を斜めに保持する部分である。支持体３とフレーム２の底部が同じような大きさの環状であれば、支持体３の一方が、フレーム２の中段で固定されることからフレーム２の底部の一部で支持体３が重なり、支持体３がさらに下方向に回転するのを規制する。フレーム２の底部の一部と支持体３が重なる部分が保持部６である。保持部６は、本実施例のように、環状の構造によって発生する保持構造でもいいし、保持するために、環状の内側に突起を設けても良い。
【００２０】
支持体３は、ゴルフボール９の外径よりもわずかに大きい開口部を有し、一端が前記稼動部に軸支される。なお、支持体３をリング状とした場合の内径は、ゴルフボールの直径が規格により１．６８インチ（４２．６７ミリ）以上と決められていることから、動作しやすいクリアランスを考えると、少なくとも４５ｍｍから５０ｍｍ程度は必要と考えられる。素材や原材料等については特に限定するものではないが、各図面では線材で示している。管材をリング状にスライスしたもの、或いは板材に開口部を開けたようなものでもよい。図面で図示している支持体３は、一方が分離されており、該分離された側は、稼動部４の両端に差し込まれ、回動自在に軸支される。支持体３は、稼動部４を軸に回転可能となっている。フレーム２に収容されたゴルフボール９を引き上げる際に、ゴルフボール９の一部が支持部５に支持される。支持部５は、支持体３において、稼動部４に軸支される側に対向する部分である。ゴルフボール９が引き上げられる際、ゴルフボール９は、支持部５の曲線に沿って保持される。
【００２１】
図３、図４、及び図６にしたがって、本発明の動作を説明する。
図３は、本発明に係る実施例の図である。図３（ａ）は、ゴルフボール９に接触する前のゴルフボール回収具１とゴルフボール９の関係の図である。図３（ｂ）は、ゴルフボール回収具１がゴルフボール９に接触して支持体３を押し上げている図である。図３（ｃ）は、ゴルフボール回収具１がゴルフボール９を完全に収容し、支持体３が元の位置に戻った図である。図３（ｄ）は、ゴルフボール９がゴルフボール回収具１の当接部７と支持部５で支えられ、持ち上げられる図である。図４は、ゴルフボール９と、当接部７と支持部５間の距離の関係を示す図である。図６は、図面では理解しにくい実際の動作をより理解し易くするため、写真を用いて説明するものである。図6（ａ）は、ゴルフボール９に接触する前のゴルフボール回収具１とゴルフボール９の関係の図である。図６（ｂ）は、ゴルフボール回収具１がゴルフボール９に接触して支持体３を押し上げはじめている図である。図６（ｃ）は、ゴルフボール回収具１がゴルフボール９に接触して支持体３を押し上げている図である。図6（ｄ）は、ゴルフボール回収具１がゴルフボール９を完全に収容し、支持体３が元の位置に戻った図である。図6（ｅ）は、ゴルフボール９がゴルフボール回収具１の当接部７と支持部５で支えられ、持ち上げられる図である。
【００２２】
ゴルフボール回収具１は、紐１１等に固定され、紐１１等は長尺体の先端に固定される。例えれば、釣りの竿の針に当たる部分にゴルフボール回収具１が固定される。ゴルフボール９は、池の水底面１０にあり、不安定に置かれている。水底面１０が平坦でないこともあるし、水底面１０が柔らかい場合もある。
ゴルフボール回収具１を水面から下ろし、ゴルフボール９の位置に近づける（図３（ａ），図６（ａ））。水中では、水の抵抗が大きいことから、ゴルフボール回収具１は、水の抵抗を受けにくい線材構造が適している。
【００２３】
ゴルフボール９にゴルフボール回収具１を上から被せるように、ゴルフボール回収具１を下ろしていく（図３（ａ），図６（ａ））。フレーム２の底面は、ゴルフボール９の外径よりも大きいことから、ゴルフボール９に余計な負荷はかからない。ゴルフボール９が支持体３の一部に当たり（図６（ｂ））、支持体３を、稼動部４を軸芯として上方向に回転させる。支持体３は、単純な環状の線材であることから、ゴルフボール９の重量よりも非常に小さい。ゴルフボール９が支持体３を押し上げても（図３（ｂ），図６（ｃ））、支持体３は、ゴルフボール９に対して転がすような力をかけることは無い。
【００２４】
ゴルフボール９が完全にゴルフボール回収具１に収容されると、支持体３の大きさはゴルフボール９の外径よりも大きいことから、自重により、ゴルフボール９の周囲に沿って、下方向に回転し、保持部６に保持される位置まで移動する（図３（ｃ），図６（ｄ））。
本実施例では、支持体３の自重で元の位置も戻るが、極めて弱いばね構造で元の位置も戻しても良い。
【００２５】
ゴルフボール回収具１を引き上げると、ゴルフボール９は、当接部７と支持部５で支えられて持ち上げられる（図３（ｄ），図６（ｅ））。支持体３は、ゴルフボール９の重さで固定されているので、ゴルフボール９に対して支持体３の支持部５の位置は簡単にはずれない。そのため、安定して、ゴルフボール９を回収することが出来る。
【００２６】
図４に沿って、ゴルフボール９と、当接部７と支持部５の距離の関係を説明する。
本発明では、ゴルフボール回収具１がゴルフボール９に接触する際に、支持体３がスムーズに回転することが必要である。そのためには、当接部７と支持部５の水平方向の長さは、ゴルフボール９の半径よりも大きいと好適である。当接部７と支持部５の水平方向の長さは、ゴルフボール９の半径よりも小さいと、ゴルフボール９に接触した支持体３は、上方向に回転せず、元の位置を保持し、ゴルフボール９がゴルフボール回収具１の中に入らないからである。
また、当接部７と支持部５の水平方向の長さが、ゴルフボール９の直径よりも大きければ、ゴルフボール９にゴルフボール回収具１が接触する際、支持体３の位置に何の変化も出ず、支持体３がゴルフボール９の下から支えることも出来ず、ゴルフボール９を回収することができない。
【００２７】
このように、本発明の構成によれば、ゴルフボールに押し込むような外圧をかけたり、転がるような力をかけることなく、容易に回収することができる。
【００２８】
また、支持体３がリング状であることで、ゴルフボール９を保持する際に、より多くの箇所でゴルフボール９を保持できるので好適である。
【００２９】
また、フレーム２が平面部を下部とする略半球状とすることで、ゴルフボール９の表面に沿った最もコンパクトな形状とすることが出来、好適である。
【００３０】
また、フレーム２、支持体３を線材で構成することによって、水中での抵抗を最小限とすることが出来、ゴルフボール回収具１の操作性を向上させることが出来、好適である。
（実施例２）
【００３１】
他の実施例について図５を用いて説明する。実施例１と同様の部分は省略する。
実施例１では、フレーム2が半球状の場合を説明したが、同様の効果が得られれば、フレーム２は他の形状でもよい。
例えば、フレーム２の一部の線材が欠落していても、ゴルフボール９が側面から飛び出さなければ良い。
図５（ａ）、及び図５（ｂ）は、フレーム２のうち、稼動部４の配置の対向部分の線材の一部を欠落させている。同様に他の線材も強度上の問題も含めて問題なければ、自由な形状とすることが出来る。
図５（ｃ）は、直方体の形状である。同様の効果が得られれば、このような形状にすることが出来る。
【産業上の利用可能性】
【００３２】
本発明に係るゴルフボール回収具は、ゴルフ場の池に没したゴルフボールを回収する効率向上という産業上の利用可能性は大きいと解する。
【符号の説明】
【００３３】
１  ゴルフボール回収具
２  フレーム
３  支持体
４  稼動部
５  支持部
６  保持部
７  当接部
８  穴
９  ゴルフボール
１０  水底面
１１  紐
１２  長尺体
９０１  ゴルフボールの中心 
【図１】
2016029992.tif 000003
【図２】
2016029992.tif 000004
【図３】
2016029992.tif 000005
【図４】
2016029992.tif 000006
【図５】
2016029992.tif 000007
【図６】
2016029992.tif 000008
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
長尺体の先端に、紐を介して取り付けて使用するゴルフボール回収具であって、
フレームと支持体から成り、
前記フレームは、ゴルフボールを収容する収容体であり、底部にはゴルフボールが通過できる大きさの開口部と、該開口部の面方向から垂直な上部位置に前記支持体を回動させるための稼動部と、該稼動部の下部位置にゴルフボールと接触する当接部と、前記支持体の回動動作を係止する保持部が設けられ、
前記支持体は、前記フレームの開口部に対して傾斜状態の場合ではゴルフボールを通過させないが、略水平位置ではゴルフボールを通過させる開口部を有し、一端が前記稼動部により回動自在に軸支され、他端が前記ゴルフボールの一部を支持する支持部となり、
前記支持体が前記フレーム内で上下に自由回動し、ゴルフボールの下側に入り込み、前記フレームの前記保持部に前記支持体が接触し、ゴルフボールの自重によって前記支持部と前記当接部によりゴルフボールを挟持し、該挟持状態におけるゴルフボールの重心位置から垂直方向の延長線上に位置するフレーム部に穴が設けられ、該穴と前記長尺体の先端とを前記紐を介して各々接続し、
下方への取り込み時と上方へ回収時に安定した回収を可能としたことを特徴とするゴルフボール回収具。
【請求項２】
前記支持体がリング状であって、前記保持部で保持された際の支持部と当接部との水平方向の支持体の開口部の径が、ゴルフボールの半径よりも大きく、直径よりも小さいことを特徴とする請求項１に記載のゴルフボール回収具。
【請求項３】
前記フレームは、平面部を下部とする略半球状であることを特徴とする請求項１又は請求項２に記載のゴルフボール回収具。
【請求項４】
前記フレームが、線材で構成されていることを特徴とする請求項１から請求項３のいずれかに記載のゴルフボール回収具。 
【手続補正２】
【補正対象書類名】明細書
【補正対象項目名】０００９
【補正方法】変更
【補正の内容】
【０００９】
本発明に係るゴルフボール回収具は、長尺体の先端に、紐を介して取り付けて使用するゴルフボール回収具であって、フレームと支持体から成り、前記フレームは、ゴルフボールを収容する収容体であり、底部にはゴルフボールが通過できる大きさの開口部と、該開口部の面方向から垂直な上部位置に前記支持体を回動させるための稼動部と、該稼動部の下部位置にゴルフボールと接触する当接部と、前記支持体の回動動作を係止する保持部が設けられ、前記支持体は、前記フレームの開口部に対して傾斜状態の場合ではゴルフボールを通過させないが、略水平位置ではゴルフボールを通過させる開口部を有し、一端が前記稼動部により回動自在に軸支され、他端が前記ゴルフボールの一部を支持する支持部となり前記支持体が前記フレーム内で上下に自由回動し、ゴルフボールの下側に入り込み、前記フレームの前記保持部に前記支持体が接触し、ゴルフボールの自重によって前記支持部と前記当接部によりゴルフボールを挟持し、該挟持状態におけるゴルフボールの重心位置から垂直方向の延長線上に位置するフレーム部に穴が設けられ、該穴と前記長尺体の先端とを前記紐を介して各々接続し、
下方への取り込み時と上方へ回収時に安定した回収を可能としたことを特徴とするゴルフボール回収具。